(57)【特許請求の範囲】
【請求項１】
開閉自在な電池ホルダを備えた耳かけ型補聴器において、ケースに対向する電池ホルダの縁部に溝を設け、この溝とケースにより電池ホルダが閉状態の時にケースと電池ホルダで形成される隙間に沿って空洞が形成され、この空洞より外界側の前記隙間に浸入した水や汗などの液体が、表面張力によって、前記隙間に留まることを特徴とする耳かけ型補聴器。
【請求項２】
開閉自在な電池ホルダを備えた耳かけ型補聴器において、電池ホルダの縁部に対向するケースに溝を設け、この溝と電池ホルダの縁部により電池ホルダが閉状態の時にケースと電池ホルダで形成される隙間に沿って空洞が形成され、この空洞より外界側の前記隙間に浸入した水や汗などの液体が、表面張力によって、前記隙間に留まることを特徴とする耳かけ型補聴器。
【発明の詳細な説明】
【技術分野】
【０００１】
本発明は、開閉自在な電池ホルダを備えた耳かけ型補聴器に関する。
【背景技術】
【０００２】
従来の耳かけ型補聴器としては、特許文献１に記載のように、ケースと電池ホルダで形成される隙間から浸入した水や汗などの液体は、電池ホルダの内壁面に形成した溝を伝わらせて、電池ホルダの内壁面に設けた開口孔を通して外部に排出させることが知られている。
【先行技術文献】
【特許文献】
【０００３】
【特許文献１】特開平０９−０２１５０９号公報
【発明の概要】
【発明が解決しようとする課題】
【０００４】
しかし、特許文献１に記載の耳かけ型補聴器においては、ケースと電池ホルダで形成される隙間から浸入した水や汗などの液体は電池収納室内に浸入してしまうため、電極を腐食して通電不良の原因となったり、空気孔を塞いで空気電池への空気の供給を阻害したりするという問題を起こしていた。
また、パッキンで防水構造を施すと、補聴器が大きくなってしまうという問題がある。
【０００５】
本発明は、従来の技術が有するこのような問題点に鑑みてなされたものであり、その目的とするところは、ケースと電池ホルダで形成される隙間から水や汗などの液体が浸入したとしても、その液体が電池収納室内に浸入し難い耳かけ型補聴器を提供しようとするものである。
【課題を解決するための手段】
【０００６】
上記課題を解決すべく請求項１に係る発明は、開閉自在な電池ホルダを備えた耳かけ型補聴器において、ケースに対向する電池ホルダの縁部に溝を設け、この溝とケースにより電池ホルダが閉状態の時に空洞が形成されるものである。
【０００７】
請求項２に係る発明は、開閉自在な電池ホルダを備えた耳かけ型補聴器において、電池ホルダの縁部に対向するケースに溝を設け、この溝と電池ホルダの縁部により電池ホルダが閉状態の時に空洞が形成されるものである。
【発明の効果】
【０００９】
請求項１に係る発明によれば、毛細管現象によって、ケースの表面に付着した水や汗などの液体がケースと電池ホルダで形成される隙間に浸入したとしても、装用時に電池ホルダの縁部に設けた溝とケースにより空洞が形成されるので、表面張力によって、この空洞に液体が入り難く、液体が電池収納室内まで浸入し難くなる。
また、補聴器が大きくならずにすむ。
【００１０】
請求項２に係る発明によれば、毛細管現象によって、ケースの表面に付着した水や汗などの液体がケースと電池ホルダで形成される隙間に浸入したとしても、装用時にケースに設けた溝と電池ホルダの縁部により空洞が形成されるので、表面張力によって、この空洞に液体が入り難く、液体が電池収納室内まで浸入し難くなる。
【図面の簡単な説明】
【００１２】
【図１】本発明に係る耳かけ型補聴器の斜視図で、（ａ）は電池ホルダが閉状態の斜視図、（ｂ）は電池ホルダが開状態の斜視図
【図２】両縁部に溝を設けた電池ホルダの斜視図で、（ａ）は一方の縁部に設けた溝を示す斜視図、（ｂ）は他方の縁部に設けた溝を示す斜視図
【図３】電池ホルダが閉状態における要部断面図
【発明を実施するための形態】
【００１３】
以下に本発明の実施の形態を添付図面に基づいて説明する。本発明に係る耳かけ型補聴器１は、図１に示すように、ケース２、フック３、チューブ４、ジョイント５、耳せん６などからなる。ケース２の内部には、マイクロホン、補聴処理部としてのＤＳＰ（Digital Signal Processor）やイヤホンなどの部品が収納されている。７は電池ホルダである。
【００１４】
電池ホルダ７は、空気電池を保持して電池収納室８に収めるためにケース２に開閉自在に装着されている。電池ホルダ７には、図２にも示すように、電池ホルダ７が閉状態の時にケース２の左右内面２ａ，２ｂが夫々対向する縁部７ａ，７ｂに溝９，１０が設けられている。
【００１５】
そして、電池ホルダ７が閉状態の時には、これらの溝９，１０とケース２の左右内面２ａ，２ｂにより、図３に示すように、ケース２と電池ホルダ７で形成される隙間１１に沿って空洞１２，１３が設けられる。空洞１２，１３は、ケース２の左右内面２ａ，２ｂと電池ホルダ７により形成される隙間１１が電池収納室８に至る途中に形成されることになる。
【００１６】
また、電池ホルダ７の縁部７ａ，７ｂには、図２に示すように、溝９，１０に通じる開口溝１４，１５が設けられている。そして、耳かけ型補聴器１を装用した時には、開口溝１４，１５とケース２の左右内面２ａ，２ｂにより、図１（ａ）に示すように、電池ホルダ７のほぼ最底部となる部位に空洞１２，１３を外部に通じさせる連通孔１６，１７が形成される。なお、ケース２の右内面２ｂ側に形成される連通孔１７については図示していない。
【００１７】
以上のように構成された本発明に係る耳かけ型補聴器１の作用について説明する。耳かけ型補聴器１を装用している時に、ケース２の表面２ｃに付着した水や汗などの液体がケース２の左右内面２ａ，２ｂと電池ホルダ７の縁部７ａ，７ｂで形成される隙間１１に浸入する場合がある。
【００１８】
毛細管現象によって、隙間１１から浸入した水や汗などの液体は、隙間１１を進んで行くが、表面張力によって、電池ホルダ７の縁部７ａ，７ｂに設けた溝９，１０とケース２の左右内面２ａ，２ｂにより形成される空洞１２，１３に入り難くなる。
【００１９】
従って、隙間１１から浸入した水や汗などの液体は、電池収納室８内に直接浸入し難くい。そして、空洞１２，１３に溜まってしまった水や汗などの液体は、空気電池１８を交換する場合など電池ホルダ７を開状態にする際に、布やティシュペーパなどの清掃部材で除去することが容易にできる。
【００２０】
また、ケース２と電池ホルダ７で形成される隙間１１に、空洞１２，１３を外部に通じさせる連通孔１６，１７を設ければ、空洞１２，１３に溜まってしまった水や汗などの液体を外部に排出し易くなる。
【００２１】
なお、本発明の実施の形態では、溝９，１０を電池ホルダ７に設けたが、空洞１２，１３は電池収納室８に至るケース２の左右内面２ａ，２ｂと電池ホルダ７の縁部７ａ，７ｂにより形成される隙間１１の途中に形成されればよいので、溝９，１０をケース２の左右内面２ａ，２ｂに設けることもできる。
【００２２】
また、空洞１２，１３を外部に通じさせる連通孔１６，１７も、ケース２の左右内面２ａ，２ｂと電池ホルダ７の縁部７ａ，７ｂにより形成される隙間１１に形成されればよいので、連通孔１６，１７を形成する開口溝１４，１５も、ケース２の左右内面２ａ，２ｂに設けることができる。
【産業上の利用可能性】
【００２３】
本発明によれば、毛細管現象によって、ケースの表面に付着した水や汗などの液体がケースと電池ホルダで形成される隙間に浸入したとしても、電池ホルダが閉状態の時に電池ホルダの縁部に設けた溝とケースにより空洞が形成されるので、表面張力によって、この空洞に液体が入り難く、液体が電池収納室内まで浸入し難くい耳かけ型補聴器を提供することができる。
【符号の説明】
【００２４】
１…耳かけ型補聴器、２…ケース、２ａ…左内面、２ｂ…右内面、２ｃ…表面、７…電池ホルダ、７ａ，７ｂ…縁部、８…電池収納室、９，１０…溝、１１…隙間、１２，１３…空洞、１４，１５…開口溝、１６，１７…連通孔、１８…空気電池。
【要約】
【課題】  ケースと電池ホルダで形成される隙間から水や汗などの液体が浸入したとしても、その液体が電池収納室内に浸入し難い耳かけ型補聴器を提供する。
【解決手段】  開閉自在な電池ホルダ７を備えた耳かけ型補聴器１において、ケース２の左右内面２ａ，２ｂに夫々対向する電池ホルダ７の縁部７ａ，７ｂに溝９，１０を設け、電池ホルダ７が閉状態の時に、溝９，１０とケース２の左右内面２ａ，２ｂにより空洞１２，１３が形成される。また、空洞１２，１３を外部に通じさせる連通孔１６，１７を設けることができる。
【選択図】        図３【図１】
0005193351.tif 000002
【図２】
0005193351.tif 000003
【図３】
0005193351.tif 000004